(57)【要約】【課題】  限られた奥行の収納部に機器を安定して収納でき、開放状態の扉上で機器を快適に使用できる開閉式収納装置を提供する。【解決手段】  キャビネットラック等の略垂直な壁面１１に凹設した収納部３を開閉する扉４を備える。開放状態の扉４の上面に、収納部３から取り出した機器１４，１５を載せる凹形状部８と、オペレータの掌を載せる凸形状部９とを設ける。扉４の閉鎖状態において、凹形状部８の前面が壁面１１の一部を形成し、凸形状部９の前面が壁面１１より凹んだ位置で扉４の開閉操作部１２を形成する。扉４に補助テーブル１０を凹形状部８に重なる非使用位置と、凹形状部８の側方へ突出する使用位置とに回動可能に取り付け、扉４の閉鎖状態において、非使用位置の補助テーブル１０で収納部３内の機器を起立姿勢に保持する。【選択図】        図２
2009201608.tif 000002
【特許請求の範囲】
【請求項１】
略垂直な壁面に凹設した収納部を開閉する扉を備えた開閉式収納装置において、開放状態の扉の上面に、前記収納部から取り出した機器を載せる凹形状部と、掌を載せる凸形状部とを設けたことを特徴とする開閉式収納装置。
【請求項２】
前記扉の閉鎖状態において、前記凹形状部の前面が前記壁面の一部を形成し、前記凸形状部の前面が前記壁面より凹んだ位置で扉の開閉操作部を形成することを特徴とする請求項１記載の開閉式収納装置。
【請求項３】
前記扉に補助テーブルを前記凹形状部に重なる非使用位置と、凹形状部の側方へ突出する使用位置とに回動可能に取り付け、前記扉の閉鎖状態において、非使用位置の補助テーブルが前記収納部内の機器を起立姿勢に保持することを特徴とする請求項１又は２記載の開閉式収納装置。
【発明の詳細な説明】
【技術分野】
【０００１】
本発明は、略垂直な壁面に凹設した収納部を開閉する扉を備えた開閉式収納装置に関する。
【背景技術】
【０００２】
従来、この種の収納装置を装備したラックが知られている。例えば、特許文献１には、図５に示すように、キーボードやマウス等の機器をラック上で操作できるように、ラック２１の垂直面に凹設した収納部２２に開閉式のテーブル２３を設けた構造が記載されている。このテーブル構造は、開放状態のテーブル２３がメインテーブルとなり、その上面にラック２１内部から取り出したキーボード２４やマウス２５等の機器を載せ操作を行うことができる。また、メインテーブル２３には外側に展開可能なサブテーブル２６が左右に設けられており機器を操作するのに十分なテーブルの広さを確保することができるようになっている。
【特許文献１】特開2000-135133号公報
【発明の開示】
【発明が解決しようとする課題】
【０００３】
ところが、このようなテーブル構造では、ラックの内部スペースによって収納部の奥行が制限される。このため、従来は、収納部にテーブルのみを収納することしかできず、キーボード等はラックの別の場所に収納しておく必要があった。またメインテーブル・サブテーブル共に高低差無く配置する必要があることから、オペレータの掌に負担がかかるという問題点もあった。
【０００４】
本発明の目的は、上記課題を解決でき、限られた奥行の収納部に機器を安定して収納でき、開放状態の扉上で機器を快適に使用できる開閉式収納装置を提供することにある。
【課題を解決するための手段】
【０００５】
上記課題を解決するために、本発明の開閉式収納装置は、略垂直な壁面に凹設した収納部を開閉する扉を備え、開放状態の扉の上面に、前記収納部から取り出した機器を載せる凹形状部と、掌を載せる凸形状部とを設けている。
【０００６】
また、前記扉の閉鎖状態において、前記凹形状部の前面が前記壁面の一部を形成し、前記凸形状部の前面が前記壁面より凹んだ位置で扉の開閉操作部を形成している。
【０００７】
さらに、前記扉に補助テーブルを前記凹形状部に重なる非使用位置と、凹形状部の側方へ突出する使用位置とに回動可能に取り付けて、前記扉の閉鎖状態において、非使用位置の補助テーブルが前記収納部内の機器を起立姿勢に保持するよう構成されている。
【発明の効果】
【０００８】
本発明の開閉式収納装置によれば、扉の開放状態で、収納部から取り出した機器を凹形状部に載せ、掌を凸形状部に載せて、扉上で機器を快適に使用できる。併せて、機器は凹形状部に入っていることからキーボード等の機器を落下等のおそれなく安定した状態で使用できる。扉の閉鎖状態では、凹形状部により収納部を拡張し、キーボード等の機器を安定した状態で収納できるという効果がある。
【０００９】
さらに、扉の閉鎖状態において、凹形状部の前面が壁面と面一となり、凸形状部の前面が扉の開閉操作部として機能するので、新たにハンドル等を設ける必要が無く、部品の点数を少なくし、壁面の見栄えを向上できるという効果がある。
【００１０】
加えて、扉の閉鎖状態において、非使用位置の補助テーブルが機器を起立姿勢に保持するので、収納部内に別の押え部品を設ける必要がなくなる。
【発明を実施するための最良の形態】
【００１１】
以下、本発明の実施形態を図面に基づいて説明する。
【００１２】
図１は開閉式収納装置１を装備したキャビネットラック１００を示す。図２は開閉式収納装置１の構成を示し、（ａ）は扉４の閉鎖状態を、（ｂ）は扉４の開放状態を示す。図３は開閉式収納装置１を左側から見た図であり、（ａ）は扉４の閉鎖状態を、（ｂ）は扉４の開放状態を示す。図４は扉４の開放状態において開閉式収納装置１の一部を正面から見た図であり、（ａ）は補助テーブル１０の非使用位置を、（ｂ）は補助テーブル１０の使用位置を示す。
【００１３】
図１に示すように、この収納装置１はキャビネットラック１００の前扉１０２に装備されている。前扉１０２はラック本体１０１の前面に開閉可能に設けられ、前扉１０２の略垂直な壁面１１に、収納装置１の収納部３が凹設されている。収納部３より上側の前扉１０２には、ラック本体１０１内の上部に収納されたモニター（図示略）を透視する窓１０３が設けられている。ラック本体１０１の内部において、モニターより下側には各種の情報機器を収納する収納室が形成されている。
【００１４】
なお、開閉式収納装置１の設置形態は、特に限定はされず、図１に示すキャビネットラック１００のほかに、例えば、パソコンラックや住宅の壁面など、略垂直な壁面を備えた各種の構造物に設置可能である。
【００１５】
図２、図３に示すように、収納部３は前面が開いたボックス形に形成され、その開放面を開閉する扉４が収納部３の下端に蝶番２５で回動自在に取り付けられている。収納部３と扉４には、開放状態の扉４を一定の角度（例えば、９０°）に保持することができるストッパー５の両端が取り付けられている。さらに、扉４の開放状態の上面には凹形状部８及び凸形状部９が形成され、凹形状部８の右側（左側でもよい）に補助テーブル１０が左右に回動可能に取り付けられている。
【００１６】
図２（ａ）、図３（ａ）に示すように、扉４が閉鎖状態にあるときには、凹形状部８の前面が壁面１１の一部を形成する。また、凸形状部９の前面が壁面１１より凹んだ位置で扉４の開閉操作部１２を形成する。扉４は収納部３の上部に取り付けた磁石１３で保持される。ストッパー５は折り畳まれ、収納部３に収納される。この状態では、収納部３に扉４を収納できるのは勿論のこと、キーボード１４やマウス１５等の操作機器を収納するのに十分な広さを確保できる（図３ａ参照）。
【００１７】
図２（ｂ）、図３（ｂ）に示すように、扉４の開放状態では、その上面に形成された凹形状部８にキーボード１４等の機器を配置できる。また、オペレータは掌を凸形状部９に載せて、キーボード１４を軽快に操作することができる。補助テーブル１０は、非使用位置において、扉４の上面よりも高い位置で凹形状部８に重なる（図４ａ参照）。使用時には、補助テーブル１０が凹形状部８の側方へ突出する使用位置に配置され、扉４よりも下側の水平面内にマウス１５等の補助機器を使用するのに十分な広さを提供する（図４ｂ）。
【００１８】
上記構成の開閉式収納装置１によれば、次のような作用効果が得られる。
【００１９】
（ア）  扉４の開放状態で、収納部３から取り出したキーボード１４等の機器を凹形状部８に載せて使用することから、キーボード等の機器を凹形状部８で保持し、落下等のおそれなく安定した状態で使用できる。
（イ）  掌を凸形状部９に載せて、凹形状部８上に載った機器を快適に使用できる。
【００２０】
（ウ）  扉４の閉鎖状態では、凹形状部８により収納部３を拡張し、キーボード１４やマウス１５等の機器とその余長コードとを安定した状態で整然と収納できる。
（エ）  扉４の閉鎖状態において、凹形状部８の前面が壁面１１と面一となり、凸形状部９の前面が扉の開閉操作部１２として機能するので、新たにハンドル等を設ける必要が無く、部品の点数を少なくし、壁面の見栄えを向上できる。
【００２１】
（オ）  扉４の閉鎖状態において、非使用位置の補助テーブル１０が扉４よりも収納部３の奥側に位置することから、収納されている機器を補助テーブル１０で起立姿勢に保持することができる（図３ａ参照）。よって、収納部３内に別の押え部品を設ける必要がなくなる。
【図面の簡単な説明】
【００２２】
【図１】本発明の一実施形態を示すキャビネットラックの斜視図である。
【図２】ラックに装備された開閉式収納装置を示す斜視図である。
【図３】収納装置の扉の開閉動作を示す立面図である。
【図４】扉に取り付けられた補助テーブルを示す正面図である。
【図５】従来の開閉式収納装置を示す斜視図である。
【符号の説明】
【００２３】
収納装置  １
収納部  ３
扉  ４
ストッパー  ５
蝶番  ６
凹形状部  ８
凸形状部  ９
補助テーブル  １０
壁面  １１
開閉操作部  １２
磁石  １３
キーボード  １４
マウス  １５
キャビネットラック  １００
【図１】
2009201608.tif 000003
【図２】
2009201608.tif 000004
【図３】
2009201608.tif 000005
【図４】
2009201608.tif 000006
【図５】
2009201608.tif 000007